(57)【要約】【課題】近距離型非接触通信に起因する電磁波が与える影響を回避することが可能なデータ処理装置を提供することを目的とする。【解決手段】携帯端末と近距離型非接触通信を利用してデータを無線通信し、データ処理を行うデータ処理装置であって、電磁波を介して前記携帯端末とデータを送受信するアンテナ部と、前記アンテナ部が送受信したデータを処理する制御部であって、ユーザに対して供給されるべき情報を処理する情報処理部の制御信号に、該電磁波が与える影響を回避するように制御する制御部と、を備える。【選択図】図２
2010148040.tif 000002
【特許請求の範囲】
【請求項１】
携帯端末と近距離型非接触通信を利用してデータを無線通信し、データ処理を行うデータ処理装置であって、
電磁波を介して前記携帯端末とデータを送受信するアンテナ部と、
前記アンテナ部が送受信したデータを処理する制御部であって、ユーザに対して供給されるべき情報を処理する情報処理部の制御信号に、該電磁波が与える影響を回避するように制御する制御部と、
を備えるデータ処理装置。
【請求項２】
前記情報処理部は、ユーザに対して供給されるべき情報を処理する電子回路を有し、
前記制御部は、前記電子回路を前記電磁波から保護する保護部を有する、
請求項１に記載のデータ処理装置。
【請求項３】
前記保護部は、前記アンテナ部が前記携帯端末とデータを送受信する際に、前記電子回路を自動的に遮断する電子回路遮断部を有する、
請求項２に記載のデータ処理装置。
【請求項４】
前記電子回路は、コイルを有し、
前記保護部は、前記アンテナ部が前記携帯端末とデータを送受信する際に、前記コイルに一定の電流を流す一定電流印加部を更に有する、
請求項２又は３に記載のデータ処理装置。
【請求項５】
前記保護部は、前記アンテナ部が前記携帯端末とデータを送受信する際に、前記電子回路を該電磁波から遮蔽された遮蔽場所に退避させる退避部を更に有する、
請求項２から４の何れか一項に記載のデータ処理装置。
【発明の詳細な説明】
【技術分野】
【０００１】
本発明は、携帯端末もしくはＩＣカードと近距離型非接触通信を利用してデータを無線通信し、データ処理を行うデータ処理装置に関する。
【背景技術】
【０００２】
従来から、ナビゲーション等に代表される車載機器と、携帯電話等に代表される携帯端末との通信手段には、ＩｒＤＡ方式、Ｂｌｕｅｔｏｏｔｈ（登録商標）方式、シリアル通信等が用いられている。車載機器と携帯端末による楽曲購入等の展開が考えられることから、車載機器と携帯端末との通信手段には、高速通信及び高いセキュリティーを確保する必用がある。近年、高速通信及び高いセキュリティーを確保することが可能な、Ｆｅｌｉｃａ（登録商標）等のＮＦＣ近距離型非接触通信機能（以下、近距離型非接触通信機能と略称する）が開発されており（特許文献１を参照）、今後、車載機器と携帯端末との通信手段に近距離型非接触通信が用いられることが考えられる。
【特許文献１】特開２００５−４５５５７号公報
【発明の開示】
【発明が解決しようとする課題】
【０００３】
車載機器と携帯端末との通信手段に近距離型非接触通信を用いる際、電磁波を介してデータの送受信を行うため、該電磁波が車載機器に与える影響が懸念される。具体的に説明すると、電磁波の影響により、車載機器の電子回路等の破壊を招いてしまうことや、カーナビゲーションシステムやカーオーディオ等がユーザに提供する画像及び音声にノイズが発生し、ユーザに不快感を与えてしまうという問題が考えられる。
【０００４】
そこで、本発明では、上記した問題に鑑み、近距離型非接触通信に起因する電磁波が与える影響を回避することが可能なデータ処理装置を提供することを目的とする。
【課題を解決するための手段】
【０００５】
本発明は、上述した課題を解決するために、制御部が、ユーザに対して供給されるべき情報を処理する情報処理部の制御信号に、電磁波が与える影響を回避するように制御する点を工夫した。
【０００６】
詳細には、本発明のデータ処理装置は、携帯端末と近距離型非接触通信を利用してデータを無線通信し、データ処理を行うデータ処理装置であって、電磁波を介して前記携帯端末とデータを送受信するアンテナ部と、前記アンテナ部が送受信したデータを処理する制御部であって、ユーザに対して供給されるべき情報を処理する情報処理部の制御信号に、該電磁波が与える影響を回避するように制御する制御部と、を備える。
【０００７】
本発明のデータ処理装置は、携帯端末と近距離型非接触通信を利用してデータを無線通信し、データ処理を行うことが可能である。従って、本発明のデータ処理装置は、近距離型非接触通信を用いることにより、高速通信及び高いセキュリティーを確保することが可能である。アンテナ部は、電磁波を介して携帯端末とデータを送受信する。情報処理部は、ユーザに対して供給されるべき情報を処理する。ユーザに対して供給されるべき情報とは、例えば、走行中の自動車の現在位置や進行方向、映画や音楽情報である。制御部は、アンテナ部が送受信したデータを処理する。更に、制御部は、該情報処理部の制御信号に、電磁波が与える影響を回避するように制御することが可能である。
【０００８】
ここで本発明のデータ処理装置において、前記情報処理部は、ユーザに対して供給され
るべき情報を処理する電子回路を有し、前記制御部は、前記電子回路を前記電磁波から保護する保護部を有してもよい。本発明のデータ処理装置は、保護部が電子回路を電磁波から保護することにより、電磁波による電子回路の破壊を防ぐことが可能である。
【０００９】
また本発明のデータ処理装置において、前記保護部は、前記アンテナ部が前記携帯端末とデータを送受信する際に、前記電子回路を自動的に遮断する電子回路遮断部を有してもよい。アンテナ部が携帯端末とデータを送受信する際に電磁波を介するため、電磁波により電子回路に逆起電力が発生し、電子回路の破壊を招く場合がある。本発明のデータ処理装置は、電子回路遮断部が電子回路を自動的に遮断することにより、該電磁波により発生する逆起電力から電子回路の破壊を防ぐことが可能である。
【００１０】
また、前記電子回路は、コイルを有し、前記保護部は、前記アンテナ部が前記携帯端末とデータを送受信する際に、前記コイルに一定の電流を流す一定電流印加部を更に有してもよい。アンテナ部が携帯端末とデータを送受信する際に電磁波を介するため、電磁波により電子回路が有するコイルに逆電流が流れ、コイルやコイル周辺の電子回路の破壊を招く場合がある。本発明のデータ処理装置は、一定電流印加部が電子回路のコイルに一定の電流を流すことにより、コイルに逆電流が流れないため、コイルやコイル周辺の電子回路の破壊を防ぐことが可能である。
【００１１】
また、前記保護部は、前記アンテナ部が前記携帯端末とデータを送受信する際に、前記電子回路を該電磁波から遮蔽された遮蔽場所に退避させる退避部を更に有してもよい。アンテナ部が携帯端末とデータを送受信する際に電磁波を介するため、電磁波により電子回路に逆起電力が発生し、電子回路の破壊を招く場合がある。本発明のデータ処理装置は、退避部が電子回路を電磁波から遮蔽された場所に退避させることにより、電子回路を電磁波から保護し、電子回路の破壊を防ぐことが可能である。
【発明の効果】
【００１２】
本発明によれば、近距離型非接触通信に起因する電磁波が与える影響を回避することが可能なデータ処理装置を提供することが可能である。
【発明を実施するための最良の形態】
【００１３】
ここで、本発明に係るデータ処理装置の実施の形態について図面に基づいて説明する。以下に示す実施例は例示であり、本発明はこれらに限定されるものではない。
【実施例１】
【００１４】
図１は、本発明の実施例１のデータ処理装置１における画像表示本体部３が表示状態であり、携帯電話１００と近距離型非接触通信をする前の断面概略図である。図２は、本発明の実施例１のデータ処理装置１における画像表示本体部３が傾斜状態であり、携帯電話１００と近距離型非接触通信をする様子を示す断面概略図である。以下、具体的に本発明の実施例１のデータ処理装置１の各構成について図１及び図２を基に説明する。尚、本発明の実施例１のデータ処理装置１は、車載機器の一部として設けられ、例えばカーナビゲーションシステムである。また、本発明の実施例１のデータ処理装置１と近距離型非接触通信を行う携帯電話１００は、アンテナ部１１１とＩＣ１１２を備える。
【００１５】
＜データ処理装置１の構成＞
データ処理装置１の主要構成は、筐体２、画像表示本体部３、アンテナ部４、ファームウェア５、音声出力部７、情報処理部３０、制御部６である。先ず、筐体２について説明する。筐体２は、データ処理装置１の本体であり、金属によって形成されている。筐体２は、該筐体２の中に設けられる制御部６等を振動等の外部影響から保護することが可能である。
【００１６】
画像表示本体部３について説明する。画像表示本体部３は、該画像表示本体部３の表面３４に、制御部６によって制御された画像データを表示する画像表示部３３をユーザと対向する面に有する（図１参照）。画像表示部３３は、例えば、走行中の自動車の現在位置や進行方向、映画や音楽情報等の画像を表示することが可能である。尚、画像表示部３３は、画像表示本体部３内に設けられたバックライト（不図示）を点灯することにより画像を表示することが可能である。
【００１７】
データ処理装置１側のアンテナ部４が携帯電話１００側のアンテナ部１１１とデータを送受信する前は、画像表示部３３が表示状態を形成する（図１参照）。一方、データ処理装置１側のアンテナ部４が携帯電話１００側のアンテナ部１１１とデータを送受信する際は、画像表示部３３が表示状態から、ユーザに向かう方向に傾斜する傾斜状態に至るように構成される（図２参照）。
【００１８】
アンテナ部４について説明する。アンテナ部４は、携帯電話１００側のアンテナ部１１１と電磁波を介してデータを送受信する際は、Ｆｅｌｉｃａ（登録商標）等の非接触型通信に用いられる１３．５６ＭＨｚの周波数帯を利用する。また、アンテナ部４は、筐体２の内部に設けられ、画像表示部３３と対向する面２５に略長方形に設けられる（図１及び図２参照）。本発明の実施例１のデータ処理装置１は、アンテナ部４が携帯電話１００側のアンテナ部１１１とデータを送受信しない際は、画像表示部３がユーザへの表示状態を維持している（図１参照）。一方、アンテナ部４が携帯電話１００側のアンテナ部１１１とデータを送受信する際は、画像表示部３は表示状態から傾斜状態に至る（図２参照）。また、データ処理装置１側のアンテナ部４が、携帯電話１００側のアンテナ部１１１と電磁波を介してデータを送受信することにより、データ処理装置１と携帯電話１００との間で近距離型非接触通信が行われる。
【００１９】
ファームウェア５、及び音声出力部７について説明する。ファームウェア５は、筐体２の内部に設けられ（図１及び図２参照）、アンテナ部４が携帯電話１００側のアンテナ部１１１と電磁波を介して送受信するデータを読み取ることが可能である。音声出力部７は、走行中の自動車の現在位置や進行方向、映画や音楽情報等の音声をスピーカ９から出力することが可能である。音声出力部７は、例えば、予め車載に取り付けられているオーディオ機器である。
【００２０】
情報処理部３０について説明する。情報処理部は、画像表示部側と筐体側に有する。先ず、画像表示部側の情報処理部３０について説明する。画像表示部側の情報処理部３０は、画像表示本体部３内に設けられ（図１及び図２参照）、ユーザに対して供給されるべき情報を処理する。ユーザに対して供給されるべき情報は、例えば、走行中の自動車の現在位置や進行方向、映画や音楽情報等である。画像表示部側の情報処理部３０は、ＩＣ３１や基板３２等の、ユーザに対して供給されるべき情報を処理する電子回路を有する。
【００２１】
次に、筐体側の情報処理部３０について説明する。筐体側の情報処理部３０は、筐体２側に設けられ（図１及び図２参照）、ユーザに対して供給されるべき情報を処理する。筐体側の情報処理部３０は、ＩＣ４１、基板４２、アナログ回路４３、デッキメカ１６に設けられたピックアップ４４等の、ユーザに対して供給されるべき情報を処理する電子回路を有する。ピックアップ４４は、コイル４４１とレンズ４４２とを有する。尚、情報処理部３０は、上述した処理に限定されない。
【００２２】
制御部６について説明する。制御部６は、ＣＰＵ、メモリ等を含むコンピュータと、コンピュータ上で実行されるプログラムによって実現することができる。制御部６は、アンテナ部４が送受信したデータを処理する。また、制御部６は、ユーザに対して供給される
べき情報を処理する情報処理部３０の制御信号に、電磁波が与える影響を回避するように制御する。ユーザに対して供給されるべき情報とは、例えば、走行中の自動車の現在位置や進行方向、映画や音楽情報である。制御部６は、保護部７２、バックライト機能停止部６１、画像表示停止部６２、及び音声停止部６３を有する。また、保護部７２は、電子回路遮断部７３、一定電流印加部、及び退避部を有する。更に、制御部６は、ＶＤＰ（Ｖｉｄｅｏ  Ｄｉｓｐｌａｙ  Ｐｒｏｃｅｓｓｏｒ）７１、７５Ωドライバ７０、スイッチ６９、通信移行部６８、媒体検出部６５、相互認証部６６、データ読み書き部６７を有する。以下、制御部６の各構成について説明する。
【００２３】
まず、保護部７２について説明する。保護部７２は、情報処理部３０が有する電子回路を電磁波から保護し、電子回路遮断部７３、一定電流印加部、及び退避部のうち一つを有すればよい。図３は、本実施例１のデータ処理装置１における制御部６が、保護部７２の電子回路遮断部７３と、バックライト機能停止部６１と、画像表示停止部６２と、音声停止部６３を有する機能ブロック図である。電子回路遮断部７３は、ファームウェア５がデータを読みとった際に、電子回路と接続されているスイッチ６９を切ることにより、電子回路を自動的に遮断することが可能である。その結果、本実施例１のデータ処理装置１は、電磁波により発生する逆起電力から、電子回路の破壊を防ぐことが可能である。
【００２４】
図４は、本発明の実施例１のデータ処理装置１における一電流印加部が、ピックアップ４４が有するコイル４４１に一定の電流を流し、一定の方向に固定する概略図である。一定電流印加部は、アンテナ部４が携帯電話１００側のアンテナ部１１１とデータを送受信し、ファームウェア５がデータを読みとった際に、コイル４４１に一定の電流を流すことにより、電磁波により発生するコイル４４１の逆電流から、電子回路が破壊することを防ぐことが可能である。尚、一定電流印加部を有する機能ブロック図は省略する。
【００２５】
図５は、ピックアップ４４が遮蔽場所１７へ移動される概略図である。退避部は、ファームウェア５がデータを読みとった際に、電子回路であるピックアップ４４を電磁波から遮蔽された遮蔽場所１７（図１、図２及び図５参照）に退避させることが可能である。その結果、本発明の実施例１のデータ処理装置１は、電磁波によりコイル４４１に発生する逆電流から、ピックアップが破壊することを防ぐことが可能である。尚、退避部を有する機能ブロック図は省略する。
【００２６】
バックライト機能停止部６１は、バックライト（不図示）の機能を停止させることが可能である。バックライトの機能の停止方法は、パルス波のデューティー比を変化させて変調するＰＷＭ制御（不図示）によりクロックを制御して行う。画像表示停止部６２は、画像表示部３３が表示する画像を、スイッチ６９を切ることにより停止させることが可能である。従って、バックライト機能停止部６１と画像表示停止部６２は、電磁波によってノイズが発生した画像をユーザに見せなくすることが可能である。尚、本発明の実施例１のデータ処理装置１において、バックライト機能停止部６１と画像表示停止部６２はどちらか一方を有していればよい。音声停止部６３は、スイッチ６９を切ることにより、音声出力部７から出力する音声を停止することが可能である。
【００２７】
通信移行部６８は、上述した保護部７２や、バックライト機能停止部６１、画像表示停止部６２、音声停止部６３によって電磁波が与える影響を回避した際に、データ処理装置１が携帯電話１００と近距離型非接触通信するように通信モードに移行する。媒体検出部６５は、近距離型非接触通信をする携帯電話１００が有するＩＣ１１２を検出する。相互認証部６６は、携帯電話１００とデータ処理装置１とを互いに認証する。データ読み書き部６７は、携帯電話１００とデータ処理装置１とが互いにデータを読み書きする。
【００２８】
図６は、実施例１のデータ処理装置１における制御フロー図である。図３に示す機能ブ
ロック図を参照しながら、以下具体的にデータ処理装置１について説明する。尚、図６の制御フロー図は、制御部６が、バックライト機能停止部６１を有さずに、画像表示停止部６２を有する場合を一例とするが、この場合に限定されない。
【００２９】
ステップＳ０１では、ファームウェア５が電磁波を読みとることにより、データ処理装置１が照射モードであるかどうかを判断する。尚、画像表示部３３が傾斜状態に至ったことを判断することにより、照射モードであるかどうかを判断してもよい。照射モードの判断が完了するとステップＳ０２へ進む。
【００３０】
ステップＳ０２では、保護部７２が有する電子回路遮断部７３によって電子回路を自動的に遮断する。電子回路遮断部７３は、電子回路に接続されているスイッチ６９を切ることにより、電子回路を自動的に遮断することが可能である。その結果、電磁波により発生する逆起電力から、電子回路の破壊を防ぐことが可能である。電子回路の遮断が完了するとステップＳ０３へ進む。
【００３１】
ステップＳ０３では、画像表示停止部６２が、画像表示部３３の画像の表示を停止する。画像表示停止部６２は、ＶＤＰ７１が映像・音楽ソース１４を受け取り、映像出力全般の命令を解読・実行し、７５Ωドライバ７０がインピーダンスの整合を図り、画像表示部３３が出力していた情報の流れを、スイッチ６９を切ることにより停止する。その結果、画像表示停止部６２は、電磁波によってノイズが発生した画像をユーザに見せなくすることが可能である。画像表示停止部６２による画像表示停止が完了するとステップＳ０４へ進む。
【００３２】
ステップＳ０４では、音声停止部６３が、音声出力部７が出力する音声を停止する。音声停止部６３は、ＶＤＰ７１が映像・音楽ソース１４を受け取り、音声出力全般の命令を解読・実行し、７５Ωドライバ７０がインピーダンスの整合を図り、音声出力部７が出力していた情報の流れを、スイッチ６９を切ることによって停止する。その結果、音声停止部６３は、電磁波によってノイズが発生した音声をユーザに聞かせなくすることが可能である。音声停止部６３による音声の停止が完了するとステップＳ０５へ進む。
【００３３】
ステップＳ０５では、通信移行部６８が通信モードに移行する。電子回路遮断部７３、画像表示停止部６２、及び音声停止部６３によって、情報処理部３０の制御信号に、電磁波が与える影響を回避するように制御することが完了した後、携帯電話１００と近距離型非接触通信が可能なように、通信モードに移行する。通信移行部６８による通信モードの移行が完了するとステップＳ０６へ進む。
【００３４】
ステップＳ０６では、媒体検出部６５によって媒体を検出する。媒体検出部６５は、近距離型非接触通信をする携帯電話１００側のアンテナ１１１を検出する。媒体検出部６５による媒体の検出が完了するとステップＳ０７へ進む。
【００３５】
ステップＳ０７では、相互認証部６６によって、携帯電話１００側のＩＣ１１２と相互認証する。相互認証部６６による相互認証が完了するとステップＳ０８へ進む。
【００３６】
ステップＳ０８では、データ読み書き部６７によって、アンテナ部４が携帯電話１００側のアンテナ部１１１と送受信したデータを読み書きする。
【００３７】
以上、本実施例１におけるデータ処理装置１は、電子回路遮断部７３、一定電流印加部、退避部、画像表示停止部６２、バックライト機能停止部６１、及び音声停止部６３により、アンテナ部４が携帯電話１００側のアンテナ部１１１と電磁波を送受信する際に、情報処理部３０の制御信号に電磁波が与える影響を回避するように制御することが可能であ
る。その結果、本実施例１におけるデータ処理装置１は、車載機器の電子回路等の破壊を防ぎ、ノイズが発生した画像や音声をユーザに提供しないようにすることが可能である。
【実施例２】
【００３８】
本発明の実施例２のデータ処理装置１における機能ブロック図は、図３に示す以外にも挙げられる。図７は、本発明の実施例２のデータ処理装置１における制御部６が、保護部７２を有さず、バックライト機能停止部６１と、画像表示停止部６２と、音声停止部６３を有する機能ブロック図である。また、実施例２のデータ処理装置１における制御部６は、実施例１と同様に、制御部６が、通信移行部６８、媒体検出部６５、相互認証部６６、データ読み書き部６７を有する。本実施例２のデータ処理装置１における制御部６は、バックライト機能停止部６１、画像表示停止部６２、及び音声停止部６３によって、非接触型通信に起因する電磁波が与える影響を回避することが可能である。本実施例２のデータ処理装置１における制御部６の各構成については、上述した本実施例１のデータ処理装置１における制御部６と対応する各構成と同じであるため、説明を省略する。
【００３９】
図８は、実施例２のデータ処理装置１における制御フロー図である。図７に示す実施例１のデータ処理装置１における制御フロー図と比較すると、実施例１のステップＳ０１は、実施例２のステップＳ００１と同様である。また、実施例１のステップＳ０３からステップＳ０８は、実施例２のステップ００２からステップＳ００７と同様である。実施例２のデータ処理装置１は、電子回路遮断部７３によって電子回路を自動的に遮断するステップＳ０２は行わない。実施例２のデータ処理装置１のステップは、上述した本実施例１のデータ処理装置１における制御部６のステップと同じであるため、説明を省略する。
【００４０】
実施例２におけるデータ処理装置１は、画像表示停止部６２、バックライト機能停止部６１、及び音声停止部６３により、データ処理装置１のアンテナ部４が携帯電話１００側のアンテナ部１１１と電磁波を送受信する際に、情報処理部の制御信号に電磁波が与える影響を回避するように制御する。その結果、本実施例２におけるデータ処理装置１は、ノイズが発生した画像や音声をユーザに提供しないようにすることが可能である。
【図面の簡単な説明】
【００４１】
【図１】本発明の実施例１のデータ処理装置が携帯電話と近距離型非接触通信をする前の断面概略図である。
【図２】本発明の実施例１のデータ処理装置が携帯電話と近距離型非接触通信をする様子を示す断面概略図である。
【図３】本発明の実施例１データ処理装置における制御部の機能ブロック図である。
【図４】本発明の実施例１のデータ処理装置が携帯電話と近距離型非接触通信をする際に、コイルに一定の電流を流し、一定の方向に固定する概略図である。
【図５】本発明の実施例１のデータ処理装置におけるピックアップが遮蔽場所へ移動される概略図である。
【図６】本発明の実施例１のデータ処理装置における制御フロー図である。
【図７】本発明の実施例２の情報処置装置における制御部が、保護部を有さず、画像表示停止部と、音声停止部を有する機能ブロック図である。
【図８】本発明の実施例２のデータ処理装置における制御フロー図である。
【符号の説明】
【００４２】
１・・・データ処理装置
１００・・・携帯電話
１１１・・・アンテナ部
１１２・・・ＩＣ
２・・・筐体
３・・・画像表示本体部
３３・・・画像表示部
４・・・アンテナ部
５・・・ファームウェア
６・・・制御部
７・・・音声出力部
９・・・スピーカ
１４・・・映像・音楽ソース
１６・・・デッキメカ
１７・・・遮蔽場所
３０・・・情報処理部
【図１】
2010148040.tif 000003
【図２】
2010148040.tif 000004
【図３】
2010148040.tif 000005
【図４】
2010148040.tif 000006
【図５】
2010148040.tif 000007
【図６】
2010148040.tif 000008
【図７】
2010148040.tif 000009
【図８】
2010148040.tif 000010